(57)【特許請求の範囲】
【請求項１】
患者宅に設置される在宅医療機器の供給を行うと共に、定期的あるいは必要な際に当該患者宅を訪問して当該在宅医療機器のメンテナンスを行う供給者が有する供給者端末と、前記供給者端末とネットワークを介して接続されるサーバ手段と、を備えた、前記在宅医療に関する情報の管理を行う在宅医療の情報管理システムであって、
前記サーバ手段は、
前記供給者端末から前記ネットワークを介して送信される、患者宅の訪問記録を含む実績情報を、適時受信し、前記在宅医療機器の外部の通信装置から、患者が希望する前記供給者の担当者の訪問日を含む要望情報及び／又は前記在宅医療機器の運転実績データである実績情報を受信し、当該受信した情報を前記患者別に格納し、
前記供給者端末から前記ネットワークを介して送信される情報提供要求に応答して、表示を行うべき患者を選択し、当該選択された患者の前記実績情報、すなわち、前記在宅医療機器のメンテナンスを行う供給者の担当者が前記患者宅を訪問した際に得られる各種情報のデータである前記訪問記録を、前記患者宅の位置を地図上に表示したインターフェース画面であるＷｅｂページの情報として、当該情報提供要求した供給者端末に送信し、
前記情報提供要求は、少なくとも、前記担当者の訪問日を特定し、前記表示を行うべき患者の選択において、当該特定する訪問日が前記希望する担当者の訪問日である患者を抽出する、ための情報を含む
ことを特徴とする在宅医療の情報管理システム。
【請求項２】
請求項１において、
更に、前記患者の診察及び指導を行う医療機関に設置されている病院端末を備え、
前記サーバ手段は、
前記病院端末から前記ネットワークを介して送信される情報提供要求に応答して、前記格納した要望情報及び／又は実績情報を前記患者宅の位置を地図上に表示したインターフェース画面の情報として、当該情報提供要求した病院端末に送信し、
前記情報提供要求は、少なくとも、前記医療機関の医師を特定する情報を含む
ことを特徴とする在宅医療の情報管理システム。
【請求項３】
請求項１において、
前記患者宅の位置を地図上に表示したインターフェース画面の情報は、各患者宅を訪問する際の最短経路の情報を含んでいる
ことを特徴とする在宅医療の情報管理システム。
【発明の詳細な説明】
【０００１】
【発明の属する技術分野】
本発明は、在宅医療機器を使用した在宅医療についての情報管理システムに関し、特に、在宅医療を受ける患者と患者の診察をする病院の医師と在宅医療機器の供給者との間の情報交換を、スムースにかつ効率的に行うことのできる在宅医療の情報管理システム等に関する。
【０００２】
【従来の技術】
従来より、在宅酸素療法や在宅補助換気療法などの在宅医療を受ける患者に対しては、適切な療法を施し、在宅医療に用いられる機器を正しく使用してもらうために、担当医師による診察及び指導が行われている。通常、上記患者は、在宅医療を新規に開始する際に使用する在宅医療機器の使用法などに関する指導を病院において受けた後、定期的にあるいは適時、病院を外来で訪れて担当医師の診察や指導を受けている。そして、この外来による診断日は、患者が病院を訪れた際に決める場合や、患者あるいは医師が必要であると認めた際に電話連絡などで決める場合などがある。
【０００３】
また、前記患者宅で用いられる在宅医療機器を供給する在宅医療機器供給会社等（以下、供給者と呼ぶ）は、在宅医療機器が正常に運転されるために、定期的にあるいは必要な際にメンテナンス員を患者宅に派遣し、在宅医療機器のチェックや消耗品の交換などを行っている。また、供給者は、上述した病院における診察及び指導を補完する意味で、看護婦などの指導員を適時患者宅へ派遣し、患者の指導や患者の状況のチェックなどを行っている。
【０００４】
通常、かかるメンテナンス員と指導員（以下、合わせて担当者と呼ぶ）は、上記供給者が各地域に対して有している営業所等に所属し、そこからその営業所等が管轄するエリア内の患者宅へ派遣される。そして、担当者が患者宅を訪問した際等に得られる各種情報は、適宜、供給者側からその患者の担当医師へ提供される。提供される情報には、在宅医療機器の使用実績データや前記指導員が訪問した際に取得した患者の生活状況の情報等がある。また、担当者が、患者宅を訪問する際には、自ら各患者と連絡を取り、訪問予定を調整している。
【０００５】
一方、前記病院の医師は、供給者から提出される上記各種情報を参照して、前記外来時の診察を行い、前記供給者の指導員に対して今後の訪問や指導について指示を行いたい場合には、電話などで連絡を取り指示していた。
【０００６】
この様に、患者、医師、及び供給者の３者間の協力により、在宅医療機器を用いた在宅医療が行われている。
【０００７】
【発明が解決しようとする課題】
しかしながら、上記３者間で行われる連絡は、前述のとおり、電話等で行われる場合が多く、また前記情報の提供も紙面によって行われているため、以下のような課題があった。
【０００８】
患者においては、使用している在宅医療機器の調子がおかしい場合などに、前記営業所の担当者に連絡を取る必要があるが、当該担当者が不在である場合などには連絡が取れず、不便な面があった。
【０００９】
また、供給者側は、前述のとおり、担当者が訪問する患者と電話等で連絡を取り訪問の調整、計画を行う必要があり、手間がかかった。特に、その地域に慣れていない新人の担当者の場合には、訪問の順番なども効率的でない場合が多かった。また、担当者と病院の医師との情報交換も双方が多忙であるために、密に行われていない場合が多かった。
【００１０】
一方、病院側も、前記供給者から提出される情報が紙面であるため、そのファイリング等に手間を要し、担当医師により有効に利用されていない場合もあった。また、医師は、自ら担当している患者の状況を知るためには、当該患者の担当者に連絡を取る必要があるが、手間がかかるため現実には殆ど行われず、上記提出される情報を見るだけという受身的な情報入手しかできなかった。更に、診察の結果に基づいて、担当者に指示を出す場合にも手間を要した。
【００１１】
そこで、本発明の目的は、在宅医療機器を用いた在宅医療において、患者と患者を診察する病院の医師と在宅医療機器の供給者との間の情報交換をスムースに行え、かつ、供給者の患者宅訪問を効率的に行える在宅医療の情報管理システム及び情報管理方法を提供することである。
【００１２】
【課題を解決するための手段】
上記の目的を達成するために、本発明の一つの側面は、ネットワークに接続された情報管理システムが、前記ネットワークを介して在宅医療機器、供給者端末、及び病院端末から送信される実績情報及び要望情報を適時患者別に格納しておき、供給者端末あるいは病院端末からの情報提供要求があった際に、要求された前記実績情報及び要望情報を、患者宅の位置を地図上に表現した画面によって提供することである。従って、本発明によれば、患者及び医師は、相手が不在の場合にも、訪問して欲しいなどの要望を出すことができ、また、供給者側も、それらの要望情報を容易に把握することができるようになる。また、医師は、供給者から提供される各種実績情報をいつでも容易に参照できるようになる。よって、患者と医師と供給者との間の情報交換を従来よりもスムースに行うことが可能となる。更に、提供される情報が地図を用いて表現されるので、供給者の患者宅訪問について効率的な計画を立てることができる。
【００１３】
更に、上記の発明において、その好ましい態様は、前記情報管理システムが前記供給者端末からの情報提供要求に応答して送信する要望情報が、当該情報提供要求の中で指定された日に前記供給者が訪問すべき前記患者宅の情報を含んでいることを特徴とする。
【００１４】
更に、上記の発明において、別の態様は、前記供給者が訪問すべき患者宅の情報が、当該患者宅を訪問する際の最短経路の情報を含んでいることを特徴とする。従って、担当者が不慣れな場合にも効率的な患者宅の訪問が可能となる。
【００１５】
また、上記の発明において、別の態様は、前記情報管理システムが行う情報の送信が、Ｗｅｂページを用いて行われることを特徴とする。従って、供給者端末や病院端末側には、一般的なブラウザが備えられていればよく、情報提供を受けるための特別な機能を備える必要がない。
【００１６】
本発明の更なる目的及び、特徴は、以下に説明する発明の実施の形態から明らかになる。
【００１７】
【発明の実施の形態】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１８】
図１は、本発明を適用した在宅医療情報管理システムの実施の形態例に係る構成図である。図中、在宅医療情報管理システム１が、本発明を適用した上記システムであり、インターネットなどのネットワーク２を介して、在宅医療機器３、供給者端末５、及び病院端末７と接続され、それら端末装置から送信される各種情報の格納とそれら端末装置への情報の提供を行う。この在宅医療情報管理システム１は、パーソナルコンピュータやワークステーションなどで構成されたサーバシステムであり、後述する供給者（在宅医療機器供給会社など）の情報センターなどに設置される。
【００１９】
図１の在宅医療機器３は、在宅酸素療法や在宅補助換気療法などの在宅医療を受ける患者４が使用する機器であり、各患者４宅に設置される。在宅医療機器３は、ネットワーク２に接続され、その内部に有する通信手段か、あるいは図示していないが外部の通信装置によって、運転実績のデータや患者４が希望する担当者の訪問日を前記在宅医療情報管理システム１へ送信する。なお、在宅医療機器３は、図１には示していないが、在宅医療情報管理システム１に対して複数存在する。
【００２０】
また、図の供給者端末５は、在宅医療機器３の供給会社等（供給者６）の各営業所などに設置されるパーソナルコンピュータなどの端末装置であり、前述した担当者、即ちメンテナンス員や指導員、などによって使用される。供給者端末５は、ネットワーク２に接続され、一般的な電子メールの送受信機能及びＷｅｂページへのアクセス機能を有しており、これらの機能を用いて在宅医療情報管理システム１と情報の授受を行う。なお、供給者端末５も、図１には示していないが、在宅医療情報管理システム１に対して複数存在する。
【００２１】
また、病院端末７は、患者４の診察及び指導を行う病院や施設に設置されるパーソナルコンピュータなどの端末装置であり、患者４を担当する医師８などによって使用される。病院端末７も、ネットワーク２に接続され、一般的な電子メールの送受信機能及びＷｅｂページへのアクセス機能を有しており、これらの機能を用いて在宅医療情報管理システム１と情報の授受を行う。なお、病院端末７も、図１には示していないが、在宅医療情報管理システム１に対して複数存在する。
【００２２】
次に、在宅医療情報管理システム１の内部は、図１に示すように、データ格納部１１、情報生成部１２、及びインターフェース部１３などで構成されている。まず、データ格納部１１には、図に示すように、地図データ２１及び患者別属性データ２２などが格納されている。地図データ２１とは、地図の電子データであり、情報の地図表現を行うための手段、いわゆる地理情報システム用のソフトウェアなど、によって端末装置等の画面上に地図として表現されるデータである。そして、この地図データ２１は、後述する情報提供の際に、ベース地図として用いられる。データ格納部１１には、在宅医療情報管理システム１が管理する全ての患者４の自宅位置をカバーする地域について、この地図データ２１を保有している。
【００２３】
また、患者別属性データ２２は、在宅医療に関する様々な情報を患者４別に収めたデータである。図２は、患者別属性データ２２の一例を示した図である。図に示すように、患者４には、識別のために患者ＩＤが与えられ、そのＩＤ毎に、各種の情報が収められている。「患者宅位置情報」（図２のａ）は、患者４宅の前記地図データ２１上の位置を表す情報であり、後述する情報生成部１２の機能により、座標値、住所、あるいは地図データ２１に用いられているＩＤ番号などで表現される。
【００２４】
「営業所ＩＤ」、「医師ＩＤ」は、それぞれ当該患者４を担当する供給者６の営業所及び担当医師８を表すＩＤである。また、「訪問希望日」（図２のｂ）は、当該患者４が前記在宅医療機器３から送信する担当者の訪問希望日であり、また、「診察日」（図２のｃ）は、担当医師８等が病院端末７から送信する当該患者４の次回診察希望日である。これら、「訪問希望日」や「診察日」など要望に関する情報を、以下、要望情報と呼ぶことにする。
【００２５】
また、「運転実績」（図２のｄ）、「訪問記録」（図２のｅ）は、それぞれ前述した在宅医療機器３の運転実績データ、担当者が患者４宅を訪問した際に得られる各種情報のデータであり、前者は在宅医療機器３から、後者は供給者端末５から送信される。「訪問記録」には、例えば、患者４や患者４の家族から聞き取られた患者４の生活状況や身体の状況などの情報が含まれる。これら、「運転実績」や「訪問記録」など実績に関する情報を、以下、実績情報と呼ぶことにする。なお、患者別属性データ２２には、図示していないその他の情報も含まれている。
【００２６】
次に、情報生成部１２は、供給者端末５や病院端末７からの情報提供要求に応答して、提供する情報を生成する部分である。具体的な情報の生成手順は、後述するが、情報生成部１２は、前述した地図データ２１を地図として表現する機能を有している。また、生成した情報は、Ｗｅｂページや電子メールにより情報提供できる形式で後述するインターフェース部１３へ引き渡される。なお、情報生成部１２は、ここで行われる情報生成の処理の手順を記述したコンピュータプログラムと、それに基づいて処理を実行する制御装置によって実装されることが好ましい。
【００２７】
また、図１のインターフェース部１３は、ネットワーク２を介して他の端末装置と情報の授受を行う部分であり、Ｗｅｂサーバ３１、メールサーバ３２などで構成されている。Ｗｅｂサーバ３１には、前述した情報生成部１２で生成された情報を、供給者６や医師８に提供するための各種Ｗｅｂページが備えられており、メールサーバ３２は、必要な時に供給者端末５、病院端末７とに間で電子メールの送受信を行うためのサーバである。
【００２８】
以上、説明したような構成と機能を有する在宅医療情報管理システム１は、在宅医療機器３、供給者端末５、及び病院端末７から適時送信される各種情報を格納し、供給者６や医師８の情報提供要求に応答して、それらの情報を視覚的に見やすい表現で提供しようとするものである。
【００２９】
以下、本在宅医療情報管理システム１で行われる処理の手順と内容について説明する。まず、在宅医療情報管理システム１が、前述した各種情報を受信して格納する際の内容について説明する。各患者４宅に設置される在宅医療機器３の運転実績データについては、在宅医療機器３が、予め定められた一定の期間毎、例えば一日毎に、自動的に当該データを送信し、それがインターフェース部１３で受取られて、前述したデータ格納部１１の患者別属性データ２２として所定の場所（図２のｄ、「運転実績」）に収められる。なお、送信される運転実績データには、その機器を使用している患者４の患者ＩＤか、あるいはその機器の識別情報が付され、その情報により、どの患者４の情報であるかが判断される。また、患者４が供給者６の担当者に訪問して欲しい場合には、在宅医療機器３に所定の操作で日付を入力することにより、その日付が送信され、これもデータ格納部１１の患者別属性データ２２として所定の場所（図２のｂ、「訪問希望日」）に収められる。
【００３０】
また、供給者端末５からは、担当者が患者４宅を訪問する度にその訪問記録の情報が送信される。送信された情報は、その都度、同様にデータ格納部１１の患者別属性データ２２として所定の場所（図２のｅ、「訪問記録」）に収められる。また、病院側が、患者に外来として診察を受けに来て欲しい日を、病院端末７から送信した際にも、その日付がデータ格納部１１の患者別属性データ２２として所定の場所（図２のｃ、「診察日」）に収められる。
【００３１】
なお、前述した地図データ２１は在宅医療情報管理システム１側で元々セットされているものであり、地図の変更があった際などには更新される。また、新規の患者４が発生した場合には、患者別属性データ２２に当該患者４用の新しいレコードが追加され、「患者ＩＤ」、「患者宅位置情報」（図２のａ）等が設定される。
【００３２】
次に、在宅医療情報管理システム１が情報を提供する際の処理の手順と内容について説明する。図３は、その一例として、供給者６が訪問すべき患者４の情報提供を要求する場合の処理手順について示したフローチャートである。まず、供給者６は、供給者端末５から在宅医療情報管理システム１のＷｅｂサーバ３１が用意する所定のＷｅｂページへアクセスする（図３のステップＳ１）。それに応答して、在宅医療情報管理システム１のＷｅｂサーバ３１は、供給者用のトップページを当該供給者端末５に返信する（図３のステップＳ２）。当該供給者６は、そのトップページから、本日訪問すべき患者４の情報提供を要求する（図３のステップＳ３）。なお、本日訪問する患者４としたのは一例であり、明日訪問する患者４など他の日を指定することも可能である。また、前記所定のＷｅｂページへアクセスする際、あるいは上記情報提供を要求する際には、供給者６の営業所等を識別する情報（前記営業所ＩＤなど）も送信される。
【００３３】
上記要求を受信した在宅医療情報管理システム１は、情報生成部１２が、まず、当該供給者６の営業所等が管轄する地域の地図データ２１をデータ格納部１１から抽出し（図３のステップＳ４）、それを地図として表現し、ベース地図を生成する。次に、送信された営業所ＩＤなどを基に、当該営業所等が担当する全ての患者４の患者宅位置情報（図２のａ）を患者別属性データ２２から抽出し、その情報に基づいて、前記生成されたベース地図上に、患者４宅の位置をプロットする（図３のステップＳ５）。そして、更に、患者４宅の位置をプロットした患者４の中から、患者別属性データ２２の訪問希望日（図２のｂ）が本日となっている患者４を抽出し、それらの患者４宅の前記ベース地図上の色を所定の色に変更する（図３のステップＳ６）。なお、ここでは、訪問すべき患者宅を、前記訪問希望日によって決めているが、定期的な在宅医療機器３のメンテナンス予定日など、他の要件を加味して訪問すべき患者宅を決定することもできる。
【００３４】
以上、情報生成部１２で生成された地図表現の情報（地図）は、インターフェース部１３のＷｅｂサーバ３１に引き渡され、そこで、その地図を載せた返信用のＷｅｂページ（インターフェース画面）が生成されて、当該要求をしてきた供給者端末５へ返信される（図３のステップＳ７）。
【００３５】
図４は、当該返信されるＷｅｂページ（インターフェース画面）の一例を示した図である。図の右側の部分が、前記情報生成部１２で生成された地図である。図のｘ部に示すような黒丸の箇所が、本日訪問すべき患者４宅の位置を表し、ｙ部に示すような白丸の箇所が、それ以外の患者４宅の位置を表している。この画面により、供給者６は、本日訪問すべき患者４宅を視覚的に把握することができる。
【００３６】
供給者６は、かかる返信された画面を閲覧し、また必要に応じて供給者端末５に接続されたプリンタ等から表示された内容を印刷し、本日の訪問計画を立てる（図３のステップＳ８）。なお、図４には示していないが、表示された地図の訪問すべき患者４宅の位置に、患者４名や住所を合わせて表示するようにしても良い。また、訪問すべき患者４名とその住所をリスト形式に表現した画面を提供するようにしても良い。
【００３７】
供給者６が、更に、患者４宅を訪問する際の最適パターン（ルート）を知りたい場合には、前記受信した画面から所定の操作により、その旨の要求を行う（図３のステップＳ９）。図４に示した画面の例では、図のｆ部で「地域別」あるいは「病院別」を選択し、「地域別」を選択した場合には更にｇ部に訪問する担当者の人数を入力し、最後にｈ部の「表示」ボタンを選択する。
【００３８】
前記要求を受信した在宅医療情報管理システム１は、情報生成部１２が、まず、当該営業所等の各担当者がそれぞれ訪問すべき患者４宅を決定する（図３のステップＳ１０）。前記要求時に、「地域別」が選択された場合には、前記入力された担当者の人数に対して、数が均等となり、それぞれの訪問地域が小さくなるように前記患者４宅の決定がなされる。一方、「病院別」が選択された場合には、当該営業所等の管轄エリア内に存在する前記病院毎に、その病院が担当する患者４宅が、前記各担当者が訪問すべき患者４宅として決定される。
【００３９】
次に、情報生成部１２は、各担当者毎に、前記決定された患者４宅を訪問する際の最短経路を探索する処理を実施し（図３のステップＳ１１）、その結果を前記生成した地図上に表現する。最短経路が載せられた地図は、Ｗｅｂサーバ３１に引き渡され、それを載せた返信用のＷｅｂページが生成されて、当該要求をした供給者端末５へ返信される（図３のステップＳ１２）。
【００４０】
図５は、上記返信されるＷｅｂページ（インターフェース画面）の一例を示した図である。図の（Ａ）は、前記「地域別」が選択された場合の画面を、（Ｂ）は、前記「病院別」が選択された場合の画面を示している。「地域別」を選択した場合には、（Ａ）に示されるように、各担当者（３人）のそれぞれの最適訪問ルートが地図上に表示され（図のＥＲ１〜ＥＲ３）、担当者は、容易に訪問計画を立てることができる。また、「病院別」が選択された場合には、（Ｂ）に示されるように、当該管轄エリア内の病院（図のｚ１とｚ２）毎に、最適訪問ルートが表示され（図のＨＲ１とＨＲ２）、各担当者は、このルートに基づいて容易に訪問計画を立てることが可能となる。
【００４１】
上記画面を受信した供給者６は、表示された内容を閲覧し、また、必要であれば前記プリンタから印刷し、患者４宅の訪問に利用する（図３のステップＳ１３）。
【００４２】
以上、供給者６が情報提供を要求した場合の一例を示したが、次に、医師８が情報提供を要求する場合の例について説明する。医師８が、自分が担当する患者５の情報を知りたい場合には、前述した供給者６の場合と同様に、病院端末７からＷｅｂサーバ３１に用意されている所定のＷｅｂページにアクセスし、返信されるトップページから情報表示の要求を行う。そして、その際に、当該医師８を識別するための情報（医師ＩＤなど）を合わせて送信する。
【００４３】
在宅医療情報管理システム１の情報生成部１２は、前記供給者６からの要求の場合と同様の手順で、当該医師８の病院が担当する患者４宅をプロットした地図情報を生成し、更に、当該医師８が担当する患者４宅の色を変更して、その地図情報をＷｅｂサーバ３１へ引き渡す。Ｗｅｂサーバ３１は、当該地図情報が載せられたインターフェース画面を生成して、当該医師８の病院端末７へ返信する。
【００４４】
図６は、返信されるインターフェース画面の一例を示した図である。図の地図上に示された白丸が当該病院が担当する患者４宅を示しており、黒丸が当該医師８が担当する患者４宅を示している。医師８が、各患者４毎の各種情報を入手したい場合には、この画面上で、情報を知りたい患者４宅を選択する。すると、図のｉ部に示すようなメニューが表示され、医師８は、その中から所望の情報を選択すると、当該情報を表示する画面がＷｅｂサーバ３１から返信され、その内容を閲覧することができる。例えば、前記メニューから「運転実績表示」を選択すると、当該患者４の在宅医療機器３の前記運転実績データが、データ格納部１１の患者別属性データ２２（図２のｄ部）から抽出され、所定の形式、例えばグラフ形式、で表示される。
【００４５】
このように、医師８は情報の閲覧をいつでも容易に行うことができるようになり、また、自分が担当する患者４宅の位置を視覚的に把握できるため、病院から遠隔地に住む患者４に対しては、外来の回数を減らして指導員の訪問回数を増やすなど、木目細かい配慮をすることも容易になる。
【００４６】
なお、供給者６や医師８に早期に情報を提供すべき場合などには、在宅医療情報管理システム１のメールサーバ３２から、当該供給者６や医師８の端末装置（５、７）に所定のＷｅｂページにアクセスすべき旨の電子メールを送信するようにしてもよい。
【００４７】
以上、本在宅医療情報管理システム１が行う情報提供の一例を説明したが、情報提供の際に供給者端末５や病院端末７に返信された地図を載せた前記インターフェース画面（図４、図６など）は、前述した供給者端末５や病院端末７から行われる情報の送信、即ち訪問記録や診察日の情報の送信、の際にも利用することができる。具体的には、図６のｉ部に示すような、患者４宅を選択した際に表示されるメニューに情報送信の項目を設け、その項目が選択された場合には、送信する情報に応じた入力画面が返信されるようにする。また、病院端末７から送信する情報には、前記診察日の情報のほかに、供給者６の担当者に対する指示の情報を含めるようにしてもよい。
【００４８】
以上説明したように、本実施の形態例に係る在宅医療情報管理システム１を用いることにより、患者４及び医師８はいつでも要望を出せるようになり、また、供給者６は訪問すべき患者４の情報を容易に入手することができるため、連絡等の手間が軽減される。また、供給者６は、訪問すべき患者４宅を地図上の情報として得られ、更に、最適な訪問ルートの情報も取得できるので、効率的な患者４宅の訪問を実行できる。更に、医師８もいつでも容易に自己が担当する患者４の情報を引き出せるため、より適正な診断や指導が可能となる。
【００４９】
なお、上述した実施の形態例では、示さなかったが、患者宅に供給者端末５や病院端末７と同様の患者端末を設け、患者からの情報送信や患者への情報提供を当該患者端末を介して行えるようにしても良い。その場合にも、前述の地図を表示したインターフェース画面を用いるようにしてもよい。
【００５０】
本発明の保護範囲は、上記の実施の形態に限定されず、特許請求の範囲に記載された発明とその均等物に及ぶものである。
【００５１】
（付記１）ネットワークを介して、在宅医療を受ける患者宅に設置された在宅医療機器と、前記在宅医療機器の供給者の供給者端末と、前記患者を担当する病院の病院端末とに接続され、前記在宅医療に関する情報の管理を行う在宅医療の情報管理システムであって、
少なくとも前記在宅医療機器、前記供給者端末、あるいは前記病院端末のいずれかから前記ネットワークを介して送信される前記在宅医療に関する要望情報及び／又は実績情報を、適時受信して前記患者別に格納し、
前記供給者端末あるいは前記病院端末から前記ネットワークを介して送信される情報提供要求に応答して、前記格納した要望情報及び／又は実績情報を、前記患者宅の位置を地図上に表示したインターフェース画面を用いて、当該情報提供要求した供給者端末あるいは病院端末に送信する
ことを特徴とする在宅医療の情報管理システム。
【００５２】
（付記２）付記１において、
前記情報管理システムが格納する要望情報が、前記患者が前記供給者の訪問を希望する訪問希望日の情報を含み、
前記情報管理システムが前記供給者端末からの情報提供要求に応答して送信する要望情報が、前記訪問希望日が当該情報提供要求の中で指定された日になっている前記患者の情報を含んでいる
ことを特徴とする在宅医療の情報管理システム。
【００５３】
（付記３）付記１において、
前記情報管理システムが前記供給者端末からの情報提供要求に応答して送信する要望情報が、当該情報提供要求の中で指定された日に前記供給者が訪問すべき前記患者宅の情報を含んでいる
ことを特徴とする在宅医療の情報管理システム。
【００５４】
（付記４）付記３において、
前記供給者が訪問すべき患者宅の情報が、当該患者宅を訪問する際の最短経路の情報を含んでいる
ことを特徴とする在宅医療の情報管理システム。
【００５５】
（付記５）付記１乃至付記４のいずれかにおいて、
前記情報管理システムが行う前記要望情報及び／又は実績情報の送信が、Ｗｅｂページを用いて行われる
ことを特徴とする在宅医療の情報管理システム。
【００５６】
（付記６）ネットワークを介して、在宅医療を受ける患者宅に設置された在宅医療機器と、前記在宅医療機器の供給者の供給者端末と、前記患者を担当する病院の病院端末とに接続され、前記在宅医療に関する情報の管理を行う情報管理システムにおける在宅医療の情報管理方法であって、
前記情報管理システムが、少なくとも前記在宅医療機器、前記供給者端末、あるいは前記病院端末のいずれかから前記ネットワークを介して送信される前記在宅医療に関する要望情報及び／又は実績情報を、適時受信して前記患者別に格納するステップと、
前記情報管理システムが、前記供給者端末あるいは前記病院端末から前記ネットワークを介して送信される情報提供要求に応答して、前記格納した要望情報及び／又は実績情報を、前記患者宅の位置を地図上に表示したインターフェース画面を用いて、当該情報提供要求した供給者端末あるいは病院端末に送信するステップを有する
ことを特徴とする在宅医療の情報管理方法。
【００５７】
【発明の効果】
以上、本発明によれば、患者及び医師はいつでも要望を出せるようになり、また、供給者は訪問すべき患者の情報を容易に入手することができるため、連絡等の手間が軽減される。また、供給者は、訪問すべき患者宅を地図上の情報として得られ、更に、最適な訪問ルートの情報も取得できるので、効率的な患者宅の訪問を実行できる。更に、医師は、いつでも容易に自己が担当する患者の情報を引き出せるため、より適正な診断や指導が可能になる。
【図面の簡単な説明】
【図１】本発明を適用した在宅医療情報管理システムの実施の形態例に係る構成図である。
【図２】患者別属性データ２２の一例を示した図である。
【図３】在宅医療情報管理システム１が情報を提供する際の処理の一例を示したフローチャートである。
【図４】供給者６が情報提供要求をした際に返信されるＷｅｂページ（インターフェース画面）の一例を示した図である。
【図５】供給者６が最適訪問パターンの表示を要求した際に返信されるＷｅｂページ（インターフェース画面）の一例を示した図である。
【図６】医師８が情報表示要求をした際に返信されるインターフェース画面の一例を示した図である。
【符号の説明】
１  在宅医療情報管理システム
２  ネットワーク
３  在宅医療機器
４  患者
５  供給者端末
６  供給者
７  病院端末
８  医師
１１  データ格納部
１２  情報生成部
１３  インターフェース部
２１  地図データ
２２  患者別属性データ
３１  Ｗｅｂサーバ
３２  メールサーバ
【図１】
0004698870.tif 000002
【図２】
0004698870.tif 000003
【図３】
0004698870.tif 000004
【図４】
0004698870.tif 000005
【図５】
0004698870.tif 000006
【図６】
0004698870.tif 000007